【手続補正書】
【提出日】平成15年12月15日(2003.12.15)
【手続補正１】
【補正対象書類名】明細書
【補正対象項目名】特許請求の範囲
【補正方法】変更
【補正の内容】
【特許請求の範囲】
【請求項１】
ダウンロード管理サーバと、ユーザ情報を記録した顧客データベースと、一次媒体コンテンツを記録した一次コンテンツデータベースと、を含むサーバネットワークと、
双方向通信ネットワークを介して前記ダウンロード管理サーバとの間で通信リンクが確立されるように接続可能なクライアントコンソールと、
媒体識別子が記録され、前記クライアントコンソールに装着可能な着脱自在の記録媒体と、を含み、
前記媒体識別子は、前記クライアントコンソールでユーザと関連付けられた後にユーザ識別子として使用され、当該ユーザ識別子は、前記ダウンロード管理サーバにアップロードされて、前記一次コンテンツデータベースに格納された指定のコンテンツへのアクセスが可能とされ、前記指定のコンテンツと前記ユーザ情報が前記クライアントコンソールにダウンロードされ、前記指定のコンテンツは、前記指定されたコンテンツの指定された部分を使用するためのアクセスがいつ行われるかを監視可能となるように請求トリガーデータに関連付けられ、前記監視においては、使用されたコンテンツの記録を生成するようにされており、前記使用されたコンテンツの記録は、前記管理サーバへと伝送されて、有償イベントが前記顧客データベースに記録される、システム。
【請求項２】
前記ユーザ識別子は、前記着脱自在の記録媒体を識別する英数字からなる媒体ＩＤを含み、当該英数字からなる媒体ＩＤにより、前記一次コンテンツデータベースへのアクセスが承認されているかが判断される、請求項１に記載のシステム。
【請求項３】
前記指定のコンテンツが、前記一次コンテンツデータベースに格納された一次コンテンツのセット全体の一部を含み、前記媒体ＩＤが、前記指定のコンテンツの前記一次コンテンツのセット全体のうち特定のものに対してだけにアクセスを制限するよう機能する、請求項２に記載のシステム。
【請求項４】
前記指定のコンテンツは、前記ダウンロード管理サーバへのアクセスを有効にするための確認コードに関連付けられている、請求項１に記載のシステム。
【請求項５】
前記指定のコンテンツが、前記一次コンテンツデータベースに格納された一次コンテンツのセット全体の一部を含み、前記確認コードが、前記指定のコンテンツへのアクセスを提供する上での中核となる前記ダウンロード管理サーバへのアクセスを有効にするものである、請求項４に記載のシステム。
【請求項６】
前記指定のコンテンツの各部は、それぞれの請求トリガーデータに関連付けられ、前記請求トリガーデータは、利用状況を記録して、前記顧客データベース内に前記一次媒体コンテンツの利用履歴を生成するために用いられる、請求項１に記載のシステム。
【請求項７】
前記着脱自在の記録媒体には、ネットワークアクセスを提供するためのプログラムと、ネットワークアクセスを提供するために前記媒体コンソールに格納されたプログラムを実行させるコードとが記録されている、請求項６に記載のシステム。
【請求項８】
前記クライアントコンソールが前記クライアントコンソールの内部または外部に配置されたローカルの固定記録媒体をさらに含み、前記指定のコンテンツが、前記固定記録媒体のみダウンロードされる、請求項１に記載のシステム。
【請求項９】
デジタル形式の一次媒体コンテンツを双方向通信ネットワークを介して配送するための方法であって、
前記着脱自在の記録媒体が着脱自在に装着されたクライアントコンソールとダウンロード管理サーバとの間に前記双方向通信ネットワークを介して通信リンクを確立するステップと、
前記着脱自在の記録媒体の媒体ＩＤとユーザ情報とを含んだユーザ識別子を、前記一次媒体コンテンツの指定されたコンテンツに対する要求とともに、コンテンツデータベースから前記指定されたコンテンツを検索するために前記ダウンロード管理サーバに伝送するステップと、
前記ダウンロード管理サーバから前記指定されたコンテンツを前記クライアントコンソールにダウンロードし、前記指定されたコンテンツには、当該コンテンツに関連付けられた請求トリガーデータが付加されており、
指定されたコンテンツの利用状況を、前記関連付けられた請求トリガーデータを用いてクライアントコンソールで記録するステップと、
前記指定されたコンテンツの利用状況を前記ダウンロード管理サーバに伝送するステップと、
前記指定されたコンテンツの前記クライアントコンソールで利用された部分に関してのみ課金するステップと、を含む方法。
【請求項１０】
前記媒体ＩＤは、前記着脱自在の記録媒体を識別するためのものであり、
前記ダウンロードサーバで、前記媒体ＩＤと確認コードとを前記クライアントコンソールから受信するステップを更に有し、前記確認コードのうちの一つと前記媒体ＩＤとの一方が、前記一次媒体コンテンツの特定の部分だけにアクセスを制限するよう機能する、請求項９に記載の方法。
【請求項１１】
前記請求トリガーデータは、顧客データベース内の指定されたコンテンツの利用情報のコンパイルに用いられる、請求項９に記載の方法。
【請求項１２】
前記ダウンロード管理サーバから前記クライアントコンソールにダウンロードする前記ステップが、前記クライアントコンソールの内部または外部に配置されたローカルの固定記録媒体に前記指定されたコンテンツを格納することを含む、請求項９に記載の方法。
【請求項１３】
媒体コンテンツをクライアントコンピュータで得る方法であって、
前記クライアントコンピュータからコンテンツプロバイダへと、指定されたコンテンツに対する要求を伝送するステップを有し、前記要求には着脱自在な媒体の媒体ＩＤとユーザ情報とが含まれるとともに前記媒体ＩＤと前記ユーザ情報とによりユーザ識別子が形成され、
前記指定されたコンテンツを前記クライアントコンピュータにダウンロードするステップを有し、前記指定されたコンテンツは、請求トリガーデータに関連付けられており、前記請求トリガーデータは、前記指定されたコンテンツの一部が前記クライアントコンピュータでいつ利用されたかの記録に用いられるようにされており、
前記指定されたコンテンツの前記利用された部分の利用状況の記録に関する情報を前記コンテンツプロバイダへと送信するステップを有する方法。
【請求項１４】
前記記録された利用状況は、前記指定されたコンテンツの前記利用された部分に対する請求が可能となるように前記ユーザ情報に関連付けられている、請求項１３記載の方法。
【請求項１５】
前記指定されたコンテンツがクライアントコンピュータにダウンロードされても、前記クライアントコンピュータにおいて前記指定されたコンテンツの少なくとも一部が利用されない限りは、ダウンロードされた前記指定されたコンテンツに対しての請求が開始されない、請求項１３記載の方法。
【請求項１６】
クライアントコンピュータにおいて媒体コンテンツの取得を可能とするためのプログラム命令が記録されたコンピュータ可読媒体であって、
前記クライアントコンピュータからコンテンツプロバイダへと、指定されたコンテンツに対する要求を伝送するためのプログラム命令が記録されており、前記要求には着脱自在な媒体の媒体ＩＤとユーザ情報とが含まれるとともに前記媒体ＩＤと前記ユーザ情報とによりユーザ識別子が形成され、
前記指定されたコンテンツの前記クライアントコンピュータへのダウンロードを開始するためのプログラム命令が記録されており、前記指定されたコンテンツは、請求トリガーデータに関連付けられており、前記請求トリガーデータは、前記指定されたコンテンツの一部が前記クライアントコンピュータでいつ利用されたかの記録に用いられるようにされており、
前記指定されたコンテンツの前記利用された部分の利用状況の記録に関する情報を前記コンテンツプロバイダへと送信するためのプログラム命令が記録されている、コンピュータ可読記録媒体。
【請求項１７】
前記記録された利用状況は、前記指定されたコンテンツの前記利用された部分に対する請求が可能となるように前記ユーザ情報に関連付けられている、請求項１６記載のコンピュータ可読記録媒体。
【請求項１８】
前記指定されたコンテンツがクライアントコンピュータにダウンロードされても、前記クライアントコンピュータにおいて前記指定されたコンテンツの少なくとも一部が利用されない限りは、ダウンロードされた前記指定されたコンテンツに対しての請求が開始されない、請求項１６記載のコンピュータ可読記録媒体。
【請求項１９】
前記コンピュータ可読記録媒体は、パッケージ化された媒体である、請求項１８記載のコンピュータ可読記録媒体。
【請求項２０】
前記パッケージ化された媒体は、コンパクトディスクである、請求項１９記載のコンピュータ可読記録媒体。